(57)【要約】      （修正有）【課題】気密性が向上して液体化粧品の揮発を防止できる、サイドノック式の液状化粧品容器を提供する。【解決手段】押し釦ホルダー１２の内側に沿って移動可能なカートリッジ式タンク２３と、該カートリッジ式タンク２３内に設けられその内周面に密接した状態で摺動可能であるシール用のディスク２４とを備え、押し釦１３のプッシュ操作で、前記カートリッジ式タンク２３に収納された液体化粧品をブラシ１４に所定量吐出させるようにした液体化粧品容器１１である。【選択図】図１
2006271653.tif 000002
【特許請求の範囲】
【請求項１】
中空状に形成された押し釦ホルダーと、
該押し釦ホルダーの側部にプッシュ操作自在に設けられた押し釦と、
前記押し釦ホルダーの先端部に集束用のノーズピースを介して組み付けられたブラシと、
前記押し釦ホルダーの後端部に取外し自在に連設したケースホルダーと、
該ケースホルダーの後端部に被着したホルダーキャップと、
一端部が前記ブラシに連通し、他端部が前記押し釦ホルダー内に延出するパイプと、
該パイプが貫通すると共に、一端部に前記押し釦のプッシュ操作によって回転するギアを有し、他端部が前記押し釦ホルダー内に延出し、且つ外周面に沿って雄ネジ部が形成された送りネジ管と、
該送りネジ管に螺合したナット部材と、
一端部が開口し、他端部にタンクキャップが被着され、且つ前記押し釦ホルダーの内側に沿って移動可能なカートリッジ式タンクと、
該カートリッジ式タンク内に設けられ、その内周面に密接した状態で摺動可能であると共に、中央部の挿通孔に合成樹脂膜が形成されたシール用のディスクと、
を少なくとも備え、
前記カートリッジ式タンクの一端部を前記ナット部材に係合させると同時に、前記パイプの他端部が前記ディスクの合成樹脂膜を突き破るように構成され、
前記押し釦のプッシュ操作で、前記カートリッジ式タンクに収納された液体化粧品を前記ブラシに所定量吐出するように構成されたことを特徴とする液体化粧品容器。
【請求項２】
前記押し釦は、バネ材で付勢されていることを特徴とする請求項１に記載の液体化粧品容器。
【請求項３】
前記カートリッジ式タンク及びケースホルダーは、透明な合成樹脂材で形成したことを特徴とする請求項１に記載の液体化粧品容器。
【発明の詳細な説明】
【技術分野】
【０００１】
本発明は、マニキュア液等の液状化粧品を封入したカートリッジ式タンクをセットして使用する液状化粧品容器に関するものであり、更に詳しくは、押し釦を押すだけで、一定量のマニキュア液等をブラシに供給できる、サイドノック式の液状化粧品容器に関するものである。
【背景技術】
【０００２】
従来の液状化粧品容器としては、次のような構成のサイドノック式容器が知られている。この容器は、筒状で中空の容器本体と、この容器本体の先端側に設けたブラシと、容器本体の側部に設けたサイドボタンと、このサイドボタンの操作によってマニキュア液等をブラシに供給するバルブ機構とから構成されており、バルブ機構の後部には、マニキュア液等が充填されたカートリッジが着脱自在に設けられている（特許文献１参照）。
【０００３】
このような構成のサイドノック式容器は、バルブ機構におけるシリンダー内の弁室を減圧することによって、マニキュア液等をカートリッジから吸引してブラシに供給すると同時に、カートリッジ内の可動底が所定圧分だけ前方に移動して、マニキュア液等を押し出す働きをなすものである。
【特許文献１】特開平１１−２０６４５３号公報（第１頁、図１乃至図６）。
【発明の開示】
【発明が解決しようとする課題】
【０００４】
この従来例のサイドノック式容器においては、シリンダー内の弁室の減圧力をもって可動底を移動させる仕組みであるために、可動底とカートリッジとを強固に密接することができない。従って、気密性が劣ることとなり、マニキュア等のような揮発性のある液状化粧品容器としては適さないという不都合がある。
【０００５】
従って、従来例におけるサイドノック式容器においては、気密性を向上させて、液体化粧品の揮発を防止することに解決しなければならない課題を有している。
【課題を解決するための手段】
【０００６】
前記従来例の課題を解決する具体的手段として本発明は、中空状に形成された押し釦ホルダーと、該押し釦ホルダーの側部にプッシュ操作自在に設けられた押し釦と、前記押し釦ホルダーの先端部に集束用のノーズピースを介して組み付けられたブラシと、前記押し釦ホルダーの後端部に取外し自在に連設したケースホルダーと、該ケースホルダーの後端部に被着したホルダーキャップと、一端部が前記ブラシに連通し、他端部が前記押し釦ホルダー内に延出するパイプと、該パイプが貫通すると共に、一端部に前記押し釦のプッシュ操作によって回転するギアを有し、他端部が前記押し釦ホルダー内に延出し、且つ外周面に沿って雄ネジ部が形成された送りネジ管と、該送りネジ管に螺合したナット部材と、一端部が開口し、他端部にタンクキャップが被着され、且つ前記押し釦ホルダーの内側に沿って移動可能なカートリッジ式タンクと、該カートリッジ式タンク内に設けられ、その内周面に密接した状態で摺動可能であると共に、中央部の挿通孔に合成樹脂膜が形成されたシール用のディスクと、を少なくとも備え、前記カートリッジ式タンクの一端部を前記ナット部材に係合させると同時に、前記パイプの他端部が前記ディスクの合成樹脂膜を突き破るように構成され、前記押し釦のプッシュ操作で、前記カートリッジ式タンクに収納された液体化粧品を前記ブラシに所定量吐出するように構成されたことを特徴とする液体化粧品容器を提供するものである。
【０００７】
また、前記押し釦は、バネ材で付勢されている構成としたものであり、そして、前記カートリッジ式タンク及びケースホルダーは、透明な合成樹脂材で形成した構成としたものである。
【発明の効果】
【０００８】
本発明に係る液体化粧品容器は、押し釦のプッシュ操作で、ギアと共に送りネジ管を所定角度回転させることによって、この送りネジ管に螺合するナット部材がカートリッジ式タンクと一緒に所定幅だけ前進移動する。同時に、カートリッジ式タンクの移動方向と反対方向にディスクが送りネジ管の端部で押し出される。カートリッジ式タンクはディスクでシールされているので、容積の減少分だけ、液体化粧品がパイプを通ってブラシに吐出することとなる。
このように、送りネジ管の端部でディスクを強制的に押し出す仕組みなので、ディスクをカートリッジ式タンクの内周面に対して強固に密接させることができる。従って、カートリッジ式タンクの気密性が向上するので、液体化粧品の揮発を防止できるという優れた効果を奏する。
【０００９】
また、送りネジ管の雄ネジ部とナット部材とを螺合させて、送りネジ管の回転でナット部材に係合したカートリッジ式タンクを所定幅だけ前進移動させる仕組みの利点は、ネジ山のピッチを設計変更すれば、カートリッジ式タンクが前進移動する幅を適宜に変更できることである。即ち、押し釦のワンプッシュ操作による液体化粧品の吐出量を設計通りに調整できるという優れた効果を奏する。
【００１０】
そして、カートリッジ式タンクに空気が混入した場合は、ブラシを上に向けて押し釦のプッシュ操作を行うことによって、空気を排出することができる。つまり、液体化粧品と空気とが接触しないようにできるので、液体化粧品の酸化を防止できる。従って、品質保持のための酸化防止剤を低減できて、ひいては皮膚への刺激をなくすることができるという優れた効果を奏する。
【００１１】
更に、前記押し釦は、バネ材で付勢されていることによって、押し釦のプッシュ操作が確実に行えるという優れた効果を奏する。
【００１２】
また、カートリッジ式タンク及びケースホルダーは、透明な合成樹脂材で形成したことによって、カートリッジ式タンクに収納した液体化粧品の色、光沢又は残量等を外部から視認できるので便利であるという優れた効果を奏する。
【発明を実施するための最良の形態】
【００１３】
次に、本発明の実施の形態について図面を参照しながら説明する。まず、図１は、液体化粧品が充填された状態の液体化粧品容器１１の横断面図であり、図２は、液体化粧品を吐出し終えた状態の液体化粧品容器１１の横断面図である。
【００１４】
この液体化粧品容器１１は、中空状に形成された押し釦ホルダー１２と、この押し釦ホルダー１２の側部にプッシュ操作自在に設けられた押し釦１３と、押し釦ホルダー１２の先端部に組み付けられたブラシ１４と、押し釦ホルダー１２の先端部に取外し自在に被着するキャップ１５と、押し釦ホルダー１２の後端部に取外し自在に連設したケースホルダー１６と、ケースホルダー１６の後端部に被着したホルダーキャップ１７と、一端部１８ａがブラシ１４に連通し他端部１８ｂが押し釦ホルダー１２内に延出するパイプ１８と、このパイプ１８が貫通すると共に一端部２０ａに押し釦１３のプッシュ操作によって回転するギア１９を有し他端部２０ｂが押し釦ホルダー１２内に延出しする送りネジ管２０と、この送りネジ管２０に螺合したナット部材２１と、一端部２３ａが開口し他端部２３ｂにタンクキャップ２２が被着され且つ押し釦ホルダー１２の内側に沿って移動可能なカートリッジ式タンク２３と、このカートリッジ式タンク２３内に設けられその内周面に密接した状態で摺動可能であるシール用のディスク２４とから構成される。
【００１５】
押し釦ホルダー１２は、図３から図５に示すように、両端部が開口した筒状に形成されており、側部に押し釦１３を取り付ける楕円形状の開口部２５が設けられている。また、内周面には、それぞれ突起７９及び突起８０が形成されており、この突起７９及び突起８０は、後述する押し釦ガイド部材５５の凹部８１及び凹部８２がそれぞれ係合する。そして、内周面における両側部には、案内溝２６が形成されており、この案内溝２６にナット部材２１の摺動突起部６７が係合して摺動するように構成されている。更に、他端部１２ｂ側には、内周面の周方向に沿って凹状部２７が形成されており、この凹状部２７にケースホルダー１６の凸状部６０が嵌合している。
【００１６】
押し釦１３は、図６から図１０に示すように、上部に押圧部２８を有し、押圧部２８の下部に空間部２９が設けられている。この空間部２９には送りネジ管２０のギア１９が配置される（図３１参照）。
空間部２９の一方の側部には、短形状の棒状片３０が垂下しており、この棒状片３０の先端には、複数の突起３１が設けられている。この突起３１は、下側に水平部３１ａを有し、上側にテーパー部３１ｂを有する（図７及び図３１参照）。
また、空間部２９の他方の側部には、長形状の棒状片３２が垂下しており、この棒状片３２の先端には、複数の突起３３が設けられている。この突起３３は、下側にテーパー部３３ｂを有し、上側に水平部３３ａを有する（図７及び図３１参照）。
そして、押し釦１３の中央部には、挿通孔３４が形成されており、この挿通孔３４にパイプ１８が挿通している。また、押し釦１３の底部には、円形凹部３５が形成されており、この円形凹部３５に後述するバネ材３８の上端部３８ｂを保持している（図１０参照）。
更に、押し釦１３の前部には、所定長さの垂下片３６が垂下しており、この垂下片３６の下端３６ａは所定角度に形成されている（図６参照）。また、垂下片３６の下部には、切欠部３７が形成されており、この切欠部３７に後述するストッパ部材４７のテーパー部５２が配置される。
【００１７】
押し釦１３の後部には、図１に示すように、押し釦ガイド部材５５が設けられている。この押し釦ガイド部材５５は、図１１から図１４に示すように、円盤状の本体部５６と、本体部５６の上部に設けられる上板５７と、本体部５６の両側部に設けられると共に先端がＬ字状に折曲する側板５８、５８とを有する。この上板５７と側板５８、５８とが、ギア１９の上部と両側部とに配置される。そして、本体部５６の縁部には、凹部８１及び凹部８２が形成されており、この凹部８１及び凹部８２が押し釦ホルダー１２の突起７９及び突起８０とそれぞれ係合する。また、本体部５６の中央部には、円形の挿通孔５９が形成されており、この挿通孔５９にパイプ１８が挿通している。
【００１８】
バネ材３８は、図１５に示すように、下端部３８ａから上端部３８ｂに沿って拡開した円錐巻きに形成されており、図１に示すように、下端部３８ａが後述するノーズピースホルダー４０の延出部４６に当接し、上端部３８ｂが押し釦１３の円形凹部３５に保持されている。
このように、バネ材３８が配設されることによって、押し釦１３が常に上部に付勢されると共に、押し釦１３のプッシュ操作が確実に行えることとなる。
【００１９】
ブラシ１４は、図１、図１６から図２０に示すように、該ブラシ１４の後部側がノーズピース３９に集束されており、このノーズピース３９がノーズピースホルダー４０の一端部４０ａに嵌合している。また、ノーズピース３９の他端部３９ｂには、中空状のノーズピースキャップ４１が嵌合している。
【００２０】
このノーズピース３９は、図１６に示すように、中空状に形成されて、先端側にテーパー状部９０が設けられている。テーパー状部９０の後部には、段部９１が形成され、この段部９１がノーズピースホルダー４０の一端部４０ａに当接する。また、段部９１の後部には、周方向に沿って凹溝９２が形成されており、更に、凹溝９２の後部には、内周面の周方向に沿って凹溝９３が形成されている。
【００２１】
ノーズピースキャップ４１は、中空状に形成されて、先端側にテーパー状部９４が設けられている。テーパー状部９４の後部には、周方向に沿って凸部９５が形成されており、この凸部９５がノーズピース３９の凹溝９３に嵌合する。凸部９５の後部には、段部９６が形成され、この段部９６がノーズピース３９の他端部３９ｂに当接する。
【００２２】
このように、ノーズピース３９をノーズピースホルダー４０に嵌合させる構成にしたことによって、種々な種類のブラシを取り付けたノーズピース３９を、同一規格のノーズピースホルダー４０に取り付けることができるので、製造上のコストダウンを図ることが可能となる。
【００２３】
ノーズピースホルダー４０は、図１８から図２０に示すように、中空状に形成されて、先端側にテーパー状部４２が設けられている。また、途中にネジ部４３が形成されており、このネジ部４３にキャップ１５の雌ネジ部５３が螺合できる構成になっている。
そして、ネジ部４３の後部側には、外周に沿って鍔部４４が形成されており、この鍔部４４が押し釦ホルダー１２の一端部１２ａに当接している（図１参照）。
鍔部４４の後部側には、略半円状の切欠部４５が形成されており、切欠部４５の下部には、延出部４６が形成されている。
更に、ノーズピースホルダー４０の内部には、図１に示すように、後述するストッパ部材４７が移動可能に配置される。鍔部４４の下部近傍には、図２０に示すように、長孔４９が設けられており、この長孔４９から、ストッパ部材４７の係止突起４８が移動可能に突出している。
【００２４】
ストッパ部材４７は、図２１から図２３に示すように、円盤状の本体部５０と、本体部５０の下部に設けられた係止突起４８と、本体部５０の中央に設けられた筒状部５１とを有しており、筒状部５１の先端は所定角度のテーパー部５２が形成されている。このテーパー部５２が押し釦１３の切欠部３７に配置され、テーパー部５２と前記垂下片３６の下端３６ａとが当接する。また、ストッパ部材４７の中央部には、小孔４７ａが形成されており、この小孔４７ａにパイプ１８が挿通している。
【００２５】
キャップ１５は、図２４に示すように、一端部１５ａが閉塞した筒状に形成され、他端部１５ｂが開口しており、この他端部１５ｂに段部５４が形成されている。また、他端部１５ｂの内周には、雌ネジ部５３が形成されており、この雌ネジ部５３がノーズピースホルダー４０のネジ部４３と螺合することによって、キャップ１５が押し釦ホルダー１２の先端部に被着される。このとき、他端部１５ｂがノーズピースホルダー４０の鍔部４４に当接すると共に、段部５４が長孔４９から突出したストッパ部材４７の係止突起４８を固定状態に維持する（図１参照）。
【００２６】
次に、押し釦１３とストッパ部材４７との動作について説明する。押圧部２８を押圧すると垂下片３６が下降する。この下降した垂下片３６は、ストッパ部材４７のテーパー部５２を摺動状態で先端方向に押し出して、ストッパ部材４７を先端方向に移動させる。このとき、長孔４９から突出している係止突起４８も先端方向に移動する。
一方、キャップ１５の雌ネジ部５３と、ノーズピースホルダー４０のネジ部４３とが螺合しているときは（図１及び図２参照）、段部５４が係止突起４８を固定状態に維持するので、押し釦１３を押圧しようとしても、ストッパー部材４７が先端方向に移動できないので、押し釦１３を押圧できない。従って、キャップ１５を被着している状態では、押し釦１３を押圧できないので、収納時等における無用な押し釦１３の押圧を防止できるのである。
【００２７】
ケースホルダー１６は、図２５に示すように、両端部が開口した筒状に形成されており、一端部１６ａ側には、周方向に沿って凸状部６０が形成され、この凸状部６０が押し釦ホルダー１２の凹状部２７に嵌合する。また、他端部１６ｂ側には、周方向に沿って凸状部６１が形成され、この凸状部６１がホルダーキャップ１７の凹状部６２に嵌合する。
【００２８】
ホルダーキャップ１７は、図２６に示すように、一端部１７ａが開口し、他端部１７ｂが閉塞した筒状に形成されている。一端部１７ａの内周には、周方向に沿って凹状部６２が形成され、この凹状部６２がケースホルダー１６の凸状部６１に嵌合する。
【００２９】
パイプ１８は、図１及び図２７に示すように、一端部１８ａがブラシ１４に連通し、他端部１８ｂが押し釦ホルダー１２内に延出している。また、他端部１８ｂは、先端が鋭利に形成されている。そして、他端部１８ｂ側から液体化粧品が入って、一端部１８ａのブラシ１４に吐出されるようになっている。
【００３０】
送りネジ管２０は、図１、図２８及び図２９に示すように、一端部２０ａに押し釦１３のプッシュ操作によって回転するギア１９を有し、他端部２０ｂが押し釦ホルダー１２内に延出すると共に、外周面に雄ネジ部６３が形成されている。そして、この雄ネジ部６３にナット部材２１が螺合している（図１参照）。また、送りネジ管２０の中心部には挿通孔６４が形成されており、この挿通孔６４にパイプ１８が挿通している。
ギア１９は、図２９及び図３０に示すように、一方に垂直部６５ａを有し、他方にテーパー部６５ｂを有する突起６５が外周面に沿って連続的に形成されている。
【００３１】
次に、ギア１９と押し釦１３との係合関係を図３１に示して説明する。押圧部２８を押し下げたときに、突起３１の水平部３１ａが、ギア１９の垂直部６５ａを押し下げて、ギア１９を所定角度回転させる。
押し釦１３はバネ材３８で上部に付勢されているので、押し釦１３が上部に戻るときに、突起３３の水平部３３ａが、ギア１９の垂直部６５ａを押し上げて、ギア１９をさらに所定角度回転させる。
このように、押し釦１３の一回の押圧操作で、押し下げと、戻りとのダブル動作でギア１９を回転させるので、ひいては、押し釦１３のワンプッシュで液体化粧品の充分な吐出を図ることが可能となる。
【００３２】
ナット部材２１は、図３２から図３５に示すように、略環状に形成されており、その外周縁に沿って係止突部６６が形成されている。また、ナット部材２１の外周には、一対の摺動突起部６７が設けられており、この摺動突起部６７が押し釦ホルダー１２の案内溝２６に係合して摺動できる構成になっている。
また、ナット部材２１の内周には、図３２に示すように、段部６８を有すると共に、段部６８の後部側に雌ネジ部６９が形成されている。この雌ネジ部６９が、送りネジ管２０の雄ネジ部６３と螺合している。
更に、ナット部材２１の後部側には、図３３に示すように、所定の間隔を開けて４箇所の凹溝７０が形成されている。
【００３３】
カートリッジ式タンク２３は、図３６及び図３７に示すように、両端部が開口した筒状に形成されており、一端部２３ａには、係止爪７１が形成され、この係止爪７１がナット部材２１の係止突部６６に係止できる構成になっている。
また、一端部２３ａ側の内周面には、周方向に沿って係合段部７２が設けられており、この係合段部７２に、ディスク２４の係合凹部８９が係合できる構成である（図３６、図３９及び図４２参照）。係合段部７２の中央部には、円形の挿通孔７３が形成されており、挿通孔７３の両端部には、長孔部７３ａが延設されている（図３７参照）。長孔部７３ａに隣接した位置には、突部７４が設けられている。
また、カートリッジ式タンク２３の他端部２３ｂ側は、内周の周方向に沿って凹状部７５が形成されており、この凹状部７５がタンクキャップ７６の凸状部７８に嵌合する。
【００３４】
なお、カートリッジ式タンク２３及び前述のケースホルダー１６は、透明な合成樹脂材で形成することが望ましい。その場合には、カートリッジ式タンク２３に収納した液体化粧品の色、光沢又は残量等を外部から視認できることとなる。
【００３５】
タンクキャップ７６は、図３８に示すように、一端部７６ａが開口し、他端部７６ｂが閉塞した蓋状に形成されており、他端部７６ｂの外周縁に沿って縁部７７が形成されている。また、タンクキャップ７６の外周面には、周方向に沿って凸状部７８が形成されており、タンクキャップ７６をカートリッジ式タンク２３の他端部２３ｂに嵌め合せ、凸状部７８と凹状部７５とが嵌合する。
【００３６】
ディスク２４は、図３９から図４１に示すように、略筒状の外周部８３と、外周部８３の内側に設けられる略筒状の内周部８４と、内周部８４の反対側に設けられる筒部８５とを有し、筒部８５の縁部には一対の係止突起８６が設けられている。この係止突起８６と外周部８３との間には、係合凹部８９が形成されており（図３９参照）、この係合凹部８９が、カートリッジ式タンク２３の係合段部７２に係合する構成になっている（図４２参照）。
また、内周部８４の中央部には、挿通孔８７が形成されており、挿通孔８７の出口には、合成樹脂膜８８が設けられている。この合成樹脂膜８８は、パイプ１８の他端部１８ｂで突き破ることができるようになっている。そして、ディスク２４は、カートリッジ式タンク２３内に配置されて、その内周面に外周部８３が密接した状態で摺動可能である。
【００３７】
次に、以上のように構成された液体化粧品容器１１の使用方法及び動作について説明する。まず、図４２（イ）（ロ）（ハ）に示すように、カートリッジ式タンク２３の一端部２３ａをナット部材２１に押し付けて、係止爪７１を係止突部６６に係止する。このときディスク２４の係止突起８６がナット部材２１の凹溝７０に嵌り込んで保持される。
次に、カートリッジ式タンク２３を回転させて、ディスク２４の係止突起８６と係合段部７２の長孔部７３ａとを一致した位置に移動させる（図３７及び図３９参照）。この状態においては係合段部７２と係合凹部８９との係合状態が解消されているので、係止突起８６を長孔部７３ａで通過させて、ディスク２４をカートリッジ式タンク２３の後部側に移動させることが可能である。
更に、図４２（ハ）に示すように、ディスク２４の合成樹脂膜８８は、パイプ１８の他端部１８ｂで突き破られる。
【００３８】
そして、既述のように、押し釦１３のプッシュ操作で、ギア１９を所定角度回転させると送りネジ管２０も共に回転する。この送りネジ管２０に螺合するナット部材２１はカートリッジ式タンク２３と一緒に所定幅だけ前進移動する。同時に、カートリッジ式タンク２３の移動方向と反対方向にディスク２４が送りネジ管２０の他端部２０ｂで押し出される。カートリッジ式タンク２３はディスク２４でシールされているので、容積の減少分だけ、液体化粧品がパイプ１８を通ってブラシ１４に吐出することとなる。
このように、送りネジ管２０の他端部２０ｂでディスク２４を強制的に押し出す仕組みなので、ディスク２４をカートリッジ式タンク２３の内周面に対して強固に密接させることができて気密性が向上する。
【００３９】
また、送りネジ管２０の雄ネジ部６３及びナット部材２１の雌ネジ部６９のネジ山のピッチを設計変更すれば、カートリッジ式タンク２３が前進移動する幅を適宜に変更できるので、押し釦１３のワンプッシュ操作による液体化粧品の吐出量を設計通りに調整できる。
【００４０】
更に、カートリッジ式タンク２３に空気が混入した場合は、ブラシ１４を上に向けて押し釦１３のプッシュ操作を行うことによって、空気を排出することができるので液体化粧品の酸化を防止できる。
【図面の簡単な説明】
【００４１】
【図１】液体化粧品が充填された状態の液体化粧品容器１１の横断面図である。
【図２】液体化粧品を吐出し終えた状態の液体化粧品容器１１の横断面図である。
【図３】押し釦ホルダー１２の一部を破断した状態の平面図である。
【図４】押し釦ホルダー１２の一部を破断した状態の側面図である。
【図５】押し釦１３の前部側を示す正面図である。
【図６】押し釦１３の側面図である。
【図７】押し釦１３の後部側を示す正面図である。
【図８】押し釦１３の前部側を示す正面図である。
【図９】押し釦１３の平面図である。
【図１０】押し釦１３の底面図である。
【図１１】押し釦ガイド部材５５の側面図である。
【図１２】押し釦ガイド部材５５の後部側を示す正面図である。
【図１３】押し釦ガイド部材５５の前部側を示す正面図である。
【図１４】押し釦ガイド部材５５の平面図である。
【図１５】バネ材３８の正面図である。
【図１６】ノーズピース３９の平面図である。
【図１７】ノーズピースキャップ４１の平面図である。
【図１８】ノーズピースホルダー４０の一部を破断した状態の平面図である。
【図１９】ノーズピースホルダー４０の側面図である。
【図２０】ノーズピースホルダー４０の長孔４９を示す説明図である。
【図２１】ストッパ部材４７の側面図である。
【図２２】ストッパ部材４７の後部側を示す正面図である。
【図２３】ストッパ部材４７の平面図である。
【図２４】キャップ１５の一部を破断した状態の平面図である。
【図２５】ケースホルダー１６の一部を破断した状態の平面図である。
【図２６】ホルダーキャップ１７の一部を破断した状態の平面図である。
【図２７】パイプ１８の途中を省略した状態の平面図である。
【図２８】送りネジ管２０の平面図である。
【図２９】ギア１９の正面図である。
【図３０】ギア１９の一部を拡大した正面図である。
【図３１】ギア１９と押し釦１３との係合関係を示す説明図である。
【図３２】ナット部材２１の一部を破断した状態の側面図である。
【図３３】ナット部材２１の後部側を示す正面図である。
【図３４】ナット部材２１の前部側を示す正面図である。
【図３５】ナット部材２１の平面図である。
【図３６】カートリッジ式タンク２３の一部を破断した状態の側面図である。
【図３７】カートリッジ式タンク２３の前部側を示す正面図である。
【図３８】タンクキャップ７６の一部を破断した状態の平面図である。
【図３９】ディスク２４の一部を破断した状態の平面図である。
【図４０】ディスク２４の前部側を示す正面図である。
【図４１】ディスク２４の側面図である。
【図４２】（イ）（ロ）（ハ）カートリッジ式タンク２３の一端部２３ａをナット部材２１に係止する状態を説明する平面図である。
【符号の説明】
【００４２】
１１  液体化粧品容器
１２  押し釦ホルダー
１２ａ一端部
１２ｂ他端部
１３  押し釦
１４  ブラシ
１５  キャップ
１５ａ一端部
１５ｂ他端部
１６  ケースホルダー
１６ａ一端部
１６ｂ他端部
１７  ホルダーキャップ
１７ａ一端部
１７ｂ他端部
１８  パイプ
１８ａ一端部
１８ｂ他端部
１９  ギア
２０  送りネジ管
２０ａ一端部
２０ｂ他端部
２１  ナット部材
２２  タンクキャップ
２３  カートリッジ式タンク
２３ａ一端部
２３ｂ他端部
２４  ディスク
２５  開口部
２６  案内溝
２７  凹状部
２８  押圧部
２９  空間部
３０  棒状片
３１  突起
３１ａ水平部
３１ｂテーパー部
３２  棒状片
３３  突起
３３ａ水平部
３３ｂテーパー部
３４  挿通孔
３５  円形凹部
３６  垂下片
３６ａ下端
３７  切欠部
３８  バネ材
３８ａ下端部
３８ｂ上端部
３９  ノーズピース
３９ｂ他端部
４０  ノーズピースホルダー
４０ａ一端部
４１  ノーズピースキャップ
４２  テーパー状部
４３  ネジ部
４４  鍔部
４５  切欠部
４６  延出部
４７  ストッパ
４７ａ小孔
４８  係止突起
４９  長孔
５０  本体部
５１  筒状部
５２  テーパー部
５３  雌ネジ部
５４  段部
５５  押し釦ガイド部材
５６  本体部
５７  上板
５８  側板
５９  挿通孔
６０、６１  凸状部
６２  凹状部
６３  雄ネジ部
６４  挿通孔
６５  突起
６５ａ垂直部
６５ｂテーパー部
６６  係止突部
６７  摺動突起部
６８  段部
６９  雌ネジ部
７０  凹溝
７１  係止爪
７２  係合段部
７３  挿通孔
７３ａ長孔部
７４  突部
７５  凹状部
７６  タンクキャップ
７６ａ一端部
７６ｂ他端部
７７  縁部
７８  凸状部
７９、８０  突起
８１、８２  凹部
８３  外周部
８４  内周部
８５  筒部
８６  係止突起
８７  挿通孔
８８  合成樹脂膜
８９  係合凹部
９０  テーパー状部
９１  段部
９２、９３  凹溝
９４  テーパー状部
９５  凸部
９６  段部
【図１】
2006271653.tif 000003
【図２】
2006271653.tif 000004
【図３】
2006271653.tif 000005
【図４】
2006271653.tif 000006
【図５】
2006271653.tif 000007
【図６】
2006271653.tif 000008
【図７】
2006271653.tif 000009
【図８】
2006271653.tif 000010
【図９】
2006271653.tif 000011
【図１０】
2006271653.tif 000012
【図１１】
2006271653.tif 000013
【図１２】
2006271653.tif 000014
【図１３】
2006271653.tif 000015
【図１４】
2006271653.tif 000016
【図１５】
2006271653.tif 000017
【図１６】
2006271653.tif 000018
【図１７】
2006271653.tif 000019
【図１８】
2006271653.tif 000020
【図１９】
2006271653.tif 000021
【図２０】
2006271653.tif 000022
【図２１】
2006271653.tif 000023
【図２２】
2006271653.tif 000024
【図２３】
2006271653.tif 000025
【図２４】
2006271653.tif 000026
【図２５】
2006271653.tif 000027
【図２６】
2006271653.tif 000028
【図２７】
2006271653.tif 000029
【図２８】
2006271653.tif 000030
【図２９】
2006271653.tif 000031
【図３０】
2006271653.tif 000032
【図３１】
2006271653.tif 000033
【図３２】
2006271653.tif 000034
【図３３】
2006271653.tif 000035
【図３４】
2006271653.tif 000036
【図３５】
2006271653.tif 000037
【図３６】
2006271653.tif 000038
【図３７】
2006271653.tif 000039
【図３８】
2006271653.tif 000040
【図３９】
2006271653.tif 000041
【図４０】
2006271653.tif 000042
【図４１】
2006271653.tif 000043
【図４２】
2006271653.tif 000044